(57)【要約】      （修正有）【課題】電子製品に応用する場合に、カバープレートをさらに搭載、設置する必要がなく、コストを節約し製品の厚みを減少できる、投影静電容量式タッチパネルを提供する。【解決手段】主に上板４０および下板３０を含み、上板の底面に複数の上部配線領域４１が設けられ、各上部配線領域は互いに直列に接続された複数の接触点４１１を備える。また、上板の底面周縁部に、各上部配線領域の軸方向の一側に位置する各接触点の縁部を覆う、不透光性絶縁インク層４２をさらに設け、絶縁インク層上に各接触点にそれぞれ通じる複数の予貯留溝を凹設する。予貯留溝内にそれぞれ導体が設けられ、各導体の底面にそれぞれ接続ポートが設けられ、絶縁インク層の底面に、接続ポートの数に対応する導線がさらに設けられ、これらの導線の一端がそれぞれ対応する接続ポートに接続されている。この不透光性絶縁インク層が、上板または下板上の不透明な導線または接続ポートを遮蔽することができる。【選択図】図２
0003166267.tif 000002
【実用新案登録請求の範囲】
【請求項１】
一側辺から内へ凹んで凹溝を形成する絶縁接着層と、
前記絶縁接着層の凹溝内に設置されたフレキシブル回路板と、
前記絶縁接着層およびフレキシブル回路板の底面に設置された下板であって、その底面に電磁遮蔽層が形成され、頂面に、平行に配列され同じ軸方向を有する複数の下部配線領域が設けられ、各下部配線領域が直列に接続された複数の接触点を備え、各下部配線領域の軸方向の一側に位置する各接触点の縁部にそれぞれ接続ポートが設けられ、下板の頂面に、一端がそれぞれ対応する接続ポートに接続され、他端が前記フレキシブル回路板に接続されている、接続ポートの数に対応する導線がさらに設けられている下板と、
前記絶縁接着層および回路板の頂面に設置された上板であって、その底面に、平行に配列され同じ軸方向を有する複数の上部配線領域が設けられ、各上部配線領域が互いに直列に接続された複数の接触点を備え、各上部配線領域の軸方向が下部配線領域の軸方向に垂直であり、上板の底面周縁部に、各上部配線領域の軸方向の一側に位置する各接触点の縁部を覆うとともに下板の各下部配線領域の接続ポートおよび導線と重なる、不透光性絶縁インク層がさらに設けられ、絶縁インク層上にそれぞれ各接触点に通じる複数の予貯留溝が凹設され、これらの予貯留溝内にそれぞれ導体が設けられ、各導体の底面にそれぞれ接続ポートが設けられ、絶縁インク層の底面に、一端がそれぞれ対応する接続ポートに接続され、他端がそれぞれ前記フレキシブル回路板に接続された、接続ポートの数に対応する導線がさらに設けられている上板と
を備える投影静電容量式タッチパネル。
【請求項２】
前記各導線が銀導線である、請求項１に記載の投影静電容量式タッチパネル。
【請求項３】
前記電磁遮蔽層が酸化インジウムスズからなる、請求項１に記載の投影静電容量式タッチパネル。
【請求項４】
前記電磁遮蔽層が酸化インジウムスズからなる、請求項２に記載の投影静電容量式タッチパネル。
【請求項５】
前記上部、下部配線領域の接触点が酸化インジウムスズからなる、請求項１ないし４のいずれか一項に記載の投影静電容量式タッチパネル。
【考案の詳細な説明】
【技術分野】
【０００１】
本考案は、タッチパネルに関し、特に投影静電容量式タッチパネルに関するものである。
【背景技術】
【０００２】
タッチパネル技術は、その原理により、主に、静電容量式、抵抗式、音波式、赤外線式などに分けられている。中でも、静電容量式タッチパネルは、防水、スクラッチ防止、比較的高い光透過性などの長所を有し、主に比較的高級なディスプレイ製品に応用され、そのタッチ原理は、表面静電容量式および投影静電容量式の２種にさらに細かく分けられる。投影静電容量式技術は、マルチタッチ操作が可能なため、画像・音響製品への応用も次第に広がっている。
【０００３】
前述の投影静電容量式技術は、主に、両方の基板上にそれぞれ酸化インジウムスズ（ＩＴＯ）からなる複数の配線領域が設けられるとともに、両基板の周辺にそれぞれ複数の導線が設けられ、これらの導線は、不透明であり、両端がそれぞれ配線領域と、基板の一側辺に位置するフレキシブル回路板とに接続され、配線領域の信号をフレキシブル回路板に伝送するために用いられるが、投影静電容量式タッチパネルを使用した電子製品は、美観上の考慮から、いずれもタッチパネルの頂面にカバープレートが設けられる。このカバープレートは、タッチパネルの導線領域に対応して不透明のインクが塗布されており、それによってこれらの導線を遮蔽するが、カバープレートの使用は、製作コストを上昇させるという問題がある上に、製品全体の厚みを増加させ、製品の薄型化要求に応えられない。
【考案の概要】
【考案が解決しようとする課題】
【０００４】
タッチ式電子製品に上述の従来技術の投影静電容量式タッチパネルを使用する場合、導線を遮蔽するカバープレートをさらに併用する必要があるため、電子製品のコストが上昇し、薄型化が難しいという欠点をもたらすことに鑑み、本考案は、投影静電容量式タッチパネルの構造を改良し、導線を、不透光性インク層で遮蔽することができ、これによって電子製品に応用される場合、カバープレートの設置を回避することができる。
【課題を解決するための手段】
【０００５】
上述の目的を達成するため、本考案に用いられる技術手段は、
一側辺から内へ凹んで凹溝を形成する絶縁接着層と、
前記絶縁接着層の凹溝内に設置されたフレキシブル回路板と、
前記絶縁接着層およびフレキシブル回路板の底面に設置された下板であって、その底面に電磁遮蔽層が形成され、頂面には、平行に配列され同じ軸方向を有する複数の下部配線領域が設けられ、各下部配線領域が直列に接続された複数の接触点を備え、各下部配線領域の軸方向の一側に位置する各接触点の縁部にそれぞれ接続ポートが設けられ、下板の頂面に、一端が対応する接続ポートにそれぞれ接続され、他端が前記フレキシブル回路板に接続された、接続ポートの数に対応する導線がさらに設けられている下板と、
前記絶縁接着層および回路板の頂面に設置された上板であって、その底面に、平行に配列され同じ軸方向を有する複数の上部配線領域が設けられ、各上部配線領域が互いに直列に接続された複数の接触点を備え、各上部配線領域の軸方向が下部配線領域の軸方向に垂直であり、上板の底面周縁部に、各上部配線領域の軸方向の一側に位置する各接触点の縁部を覆うとともに下板の各下部配線領域の接続ポートおよび導線と重なる、不透光性絶縁インク層がさらに設けられ、絶縁インク層上にそれぞれ各接触点に通じる複数の予貯留溝が凹設され、これらの予貯留溝内にそれぞれ導体が設けられ、各導体の底面にそれぞれ接続ポートが設けられ、絶縁インク層の底面に、接続ポートの数に対応する導線がさらに設けられ、これらの導線の一端がそれぞれ対応する接続ポートに接続され、導線の他端がそれぞれ前記フレキシブル回路板に接続されている上板とを備える、
投影静電容量式タッチパネルを提供することである。
【０００６】
本考案においては、上板の底面に、不透光性絶縁インク層が形成され、上板上で上部配線領域の接触点とフレキシブル回路板の間を接続する導線が、絶縁インク層の底面に形成され、絶縁インク層が下板の各下部配線領域の接続ポートおよび導線と重なっており、したがって上板の頂面から見たとき、絶縁インク層は上板および下板における導線および接続ポートを遮蔽することができ、従来技術中のカバープレートと同様な機能を発揮するので、電子製品にカバープレートをさらに設置する必要がなくなり、これによってコストを節約し製品の厚みを減少する目的を達成することができる。
【図面の簡単な説明】
【０００７】
【図１】本考案の正面図である。
【図２】本考案の上板を開けた状態の部分構成図である。
【図３】本考案の下板の正面図である。
【図４】本考案の上板の底面図ある。
【図５】図４の線５−５に沿った断面図である。
【図６】本考案の平面図である。
【考案を実施するための形態】
【０００８】
図１および図２に示すとおり、本考案の投影静電容量式タッチパネルは、絶縁接着層（１０）と、フレキシブル回路板（２０）と、下板（３０）と、上板（４０）とを備え、
絶縁接着層（１０）は、一側辺から内へ凹んで凹溝（１１）を形成しており、
フレキシブル回路板（２０）は、絶縁接着層（１０）の凹溝（１１）内に設置されている。
【０００９】
図３を参照すると、下板（３０）は、その構造が従来技術の投影静電容量式タッチパネルの構造と同じであり、絶縁接着層（１０）およびフレキシブル回路板（２０）の底面に設けられ、その底面に電磁遮蔽層（３１）が形成され、電磁遮蔽層（３１）は酸化インジウムスズ（ＩＴＯ）からなるものでよく、下板（３０）の頂面に、平行に配列され同じ軸方向を有する複数の下部配線領域（３２）がさらに設けられ、各下部配線領域（３２）は直列に接続された複数の接触点（３２１）を備え、これらの接触点（３２１）は酸化インジウムスズからなるものでよく、また、各下部配線領域（３２）の軸方向の一側に位置する各接触点（３２１）の縁部にそれぞれ導電性材質の接続ポート（３３）が設けられ、また、下板（３０）の頂面に、接続ポート（３３）の数に対応する導線（３４）がさらに設けられ、これらの導線（３４）は、その一端がそれぞれ対応する接続ポート（３３）に接続され、他端がフレキシブル回路板（２０）に接続された銀導線でよい。
【００１０】
図４を参照すると、これは上板（４０）の底面図である。上板（４０）は、絶縁接着層（１０）およびフレキシブル回路板（２０）の頂面に設置され、その底面に、平行に配列され同じ軸方向を有する複数の上部配線領域（４１）が設けられ、上部配線領域（４１）の軸方向は下部配線領域（３２）の軸方向に垂直であり、各上部配線領域（４１）は互いに直列に接続された複数の接触点（４１１）を備え、これらの接触点（４１１）は、酸化インジウムスズからなるものでよく、接触点（３２１）が設けられていない下板（３０）の頂面に対応して位置し、上板（４０）の底面周縁部に、各上部配線領域（４１）の軸方向の一側に位置する各接触点（４１１）の縁部を覆うとともに下板（３０）の各下部配線領域（３２）の接続ポート（３３）および導線（３４）と重なる、不透光性絶縁インク層（４２）がさらに設けられ、図５を参照すると、絶縁インク層（４２）の上部配線領域（４１）の各接触点（４１１）を覆う箇所にそれぞれ接触点（４１１）に通じる予貯留溝（４２１）が凹設され、これらの予貯留溝（４２１）内にそれぞれ導体（４２２）が設けられ、各導体（４２２）の底面にそれぞれ接続ポート（４３）が設けられ、絶縁インク層（４２）の底面に、接続ポート（４３）の数に対応する導線（４４）がさらに設けられ、これらの導線（４４）は、その一端がそれぞれ対応する接続ポート（４３）に接続され、他端がそれぞれフレキシブル回路板（２０）に接続されている銀導線でよい。
【００１１】
本考案においては、上板（４０）の底面周縁部に絶縁インク層（４２）が形成され、絶縁インク層（４２）の底面に導線（４４）が形成され、その一端がフレキシブル回路板（２０）に接続され、他端が接続ポート（４３）に接続され、したがって、接続ポート（４３）および導体（４２２）を介して上部配線領域（４１）の接触点（４１１）と電気的に接続することができ、それにより上部配線領域（４１）の接触点（４１１）の信号をフレキシブル回路板（２０）に伝送する。絶縁インク層（４２）は不透光性であるとともに、下板（３０）の接続ポート（３３）および導線（３４）と重なり、したがって、図６を参照すると、タッチパネルの頂面から見たとき、絶縁インク層（４２）が、上板（４０）および下板（３０）上の導線（４４）（３４）ならびに接続ポート（４３）（３３）を遮蔽することができ、したがって、本考案のタッチパネルを電子製品に用いた場合、この製品に導線（３４）（４４）および接続ポート（３３）（４３）を遮蔽するためのカバープレートを余分に設置する必要がなくなり、それによってコストを節約し製品の厚みを減少する目的を達成することができる。
【符号の説明】
【００１２】
（１０）  絶縁接着層
（１１）  凹溝
（２０）  フレキシブル回路板
（３０）  下板
（３１）  電磁遮蔽層
（３２）  下部配線領域
（３２１）  接触点
（３３）  接続ポート
（３４）  導線
（４０）  上板
（４１）  上部配線領域
（４１１）  接触点
（４２）  絶縁インク層
（４２１）  予貯留溝
（４２２）  導体
（４３）  接続ポート
（４４）  導線
【図１】
0003166267.tif 000003
【図２】
0003166267.tif 000004
【図３】
0003166267.tif 000005
【図４】
0003166267.tif 000006
【図５】
0003166267.tif 000007
【図６】
0003166267.tif 000008